(57)【要約】【課題】携帯端末の機種を他の機種に変更した場合であっても、測定端末の機種まで変更することなくバイタルデータを送信する方法を提供することを課題とする。【解決手段】第１サーバ５０と、第２サーバ６０と、携帯端末１０とが各々通信回線４０を介して接続し、入力部２１を有する測定端末２０で測定したバイタルデータを該携帯端末１０によって該第１サーバ５０へ送信する方法であって、該測定端末１０で測定したバイタルデータを記憶し、該第２サーバ６０に記憶の制御ソフトウェアを該携帯端末１０へダウンロードするとともに、ダウンロードした制御ソフトウェアを該測定端末２０へ記憶し、該測定端末２０の入力部２１で所定の入力操作を受け付けると、該制御ソフトウェアの実行処理によって該携帯端末１０と該第１サーバ５０との間で通信路を確立させて、該測定端末２０に記憶してあるバイタルデータを該第１サーバ５０へ送信する。【選択図】        図1
2006068357.tif 000002
【特許請求の範囲】
【請求項１】
第１サーバと、第２サーバと、携帯端末とが各々通信回線を介して接続し、入力部を有する測定端末で測定したバイタルデータを該携帯端末によって該第１サーバへ送信するためのバイタルデータ送信方法であって、
該測定端末で測定したバイタルデータを記憶するステップと、
該第２サーバに記憶の制御ソフトウェアを該携帯端末へダウンロードするとともに、ダウンロードした制御ソフトウェアを該測定端末へ記憶するステップと、
該測定端末の入力部で所定の入力操作を受け付けると、該制御ソフトウェアの実行処理によって該携帯端末と該第１サーバとの間で通信路を確立させて、該測定端末に記憶してあるバイタルデータを該第１サーバへ送信するステップと、を含むバイタルデータ送信方法。
【請求項２】
第３サーバと、携帯端末とが各々通信回線を介して接続し、入力部を有する測定端末で測定したバイタルデータを該携帯端末によって該第３サーバへ送信するためのバイタルデータ送信方法であって、
該測定端末で測定したバイタルデータを記憶するステップと、
該第３サーバに記憶の制御ソフトウェアを該携帯端末へダウンロードするとともに、ダウンロードした制御ソフトウェアを該測定端末へ記憶するステップと、
該測定端末の入力部で所定の入力操作を受け付けると、該制御ソフトウェアの実行処理によって該携帯端末と該第３サーバとの間で通信路を確立させて、該測定端末に記憶してあるバイタルデータを該第３サーバへ送信するステップと、を含むバイタルデータ送信方法。
【請求項３】
第１サーバと、記憶媒体を装着可能な携帯端末とが各々通信回線を介して接続し、入力部を有する測定端末で測定したバイタルデータを該携帯端末によって該第１サーバへ送信するためのバイタルデータ送信方法であって、
該測定端末で測定したバイタルデータを記憶するステップと、
該記憶媒体が該携帯端末に装着されると、該記憶媒体に記憶の制御ソフトウェアを読み込むとともに、読み込んだ制御ソフトウェアを該測定端末へ記憶するステップと、
該測定端末の入力部で所定の入力操作を受け付けると、該制御ソフトウェアの実行処理によって該携帯端末と該第１サーバとの間で通信路を確立させて、該測定端末に記憶してあるバイタルデータを該第１サーバへ送信するステップと、を含むバイタルデータ送信方法。
【発明の詳細な説明】
【技術分野】
【０００１】
本発明は、健康管理をするためのバイタルデータの送信方法に関し、詳しくは測定端末によって収集したバイタルデータを携帯端末によって送信するバイタルデータ送信方法に関する。
【背景技術】
【０００２】
この種のバイタルデータ送信方法は、例えば以下に記す技術が一般的に知られている。この技術では、まずユーザは予め測定端末を使用して自身のバイタルデータを測定しておく。ここで測定端末とは、例えば体温を計測可能な端末である。その場合、バイタルデータとは、体温値となる。なお、測定されたバイタルデータは測定端末の記憶部に記憶可能となっている。そしてユーザは、測定端末を自身の所有する携帯端末に接続した状態で測定端末の送信ボタンを押下する。すると携帯端末は、測定端末の記憶部に記憶してあるバイタルデータを読み出し、読み出したバイタルデータを通信回線によってバイタルデータ管理サーバへ送信する。なお、携帯電話が実施するこのような読み出し処理や送信処理は、測定端末の記憶部に記憶の制御プログラムによって実行されている。そしてバイタルデータ管理サーバは、携帯端末から受信したバイタルデータをユーザごとに対応付けて自身の記憶部に記憶する。このようにして、ユーザはバイタルデータを測定後、測定端末を携帯端末に接続し測定端末の送信ボタンを押下するのみで、測定したバイタルデータをバイタルデータ管理サーバへ送信することができる。
【０００３】
なお、この出願の発明に関連する先行技術文献情報としては、例えば、特許文献１が知られている。
【特許文献１】特開平１０−４３１４３号公報
【発明の開示】
【発明が解決しようとする課題】
【０００４】
しかしながら、上述したバイタルデータ送信方法では、携帯端末を通信媒体として利用している構成である。また、携帯端末からバイタルデータ管理サーバへバイタルデータを送信する際に、測定端末に記憶の制御ソフトウェアを実行させて実施している。そして、この制御ソフトウェアは、携帯端末の機種ごとに異なるソフトウェアとなっている。そのため、例えばユーザが自身の携帯端末の機種を他の機種に変更した場合、変更後の携帯端末では現状の測定端末に記憶してある制御ソフトウェアでは対応していないためバイタルデータを送信できないでいた。したがって、ユーザは携帯端末の機種を変更するごとに、変更後の携帯端末に対応する制御ソフトウェアを記憶してある測定端末を購入しなければならなかった。
【０００５】
本発明は、このような点に鑑みて創案されたものであり、携帯端末の機種を他の機種に変更した場合であっても、測定端末の機種まで変更することなくバイタルデータを送信する方法を提供することを課題とする。
【課題を解決するための手段】
【０００６】
上記課題を解決するための手段として、本発明の第１発明は、請求項１に記載されたとおりのバイタルデータ送信方法である。
請求項１に記載のバイタルデータ送信方法は、第１サーバと、第２サーバと、携帯端末とが各々通信回線を介して接続し、入力部を有する測定端末で測定したバイタルデータを該携帯端末によって該第１サーバへ送信するためのバイタルデータ送信方法である。そして、該測定端末で測定したバイタルデータを記憶するステップと、該第２サーバに記憶の制御ソフトウェアを該携帯端末へダウンロードするとともに、ダウンロードした制御ソフトウェアを該測定端末へ記憶するステップと、該測定端末の入力部で所定の入力操作を受け付けると、該制御ソフトウェアの実行処理によって該携帯端末と該第１サーバとの間で通信路を確立させて、該測定端末に記憶してあるバイタルデータを該第１サーバへ送信するステップと、を含む構成である。
この構成によれば、測定端末で測定したバイタルデータを測定端末から所定の入力操作を実施するのみで制御ソフトウェアを動作させて第１サーバへ送信することができる。また、この制御ソフトウェアを第２サーバから測定端末へ予めダウンロードしておくこともできる。また、この所定の入力操作とは、送信ボタンの押下のみでよいためユーザの操作性が向上する。
【０００７】
また、請求項２に記載のバイタルデータ送信方法は、第３サーバと、携帯端末とが各々通信回線を介して接続し、入力部を有する測定端末で測定したバイタルデータを該携帯端末によって該第３サーバへ送信するためのバイタルデータ送信方法である。そして、該測定端末で測定したバイタルデータを記憶するステップと、該第３サーバに記憶の制御ソフトウェアを該携帯端末へダウンロードするとともに、ダウンロードした制御ソフトウェアを該測定端末へ記憶するステップと、該測定端末の入力部で所定の入力操作を受け付けると、該制御ソフトウェアの実行処理によって該携帯端末と該第３サーバとの間で通信路を確立させて、該測定端末に記憶してあるバイタルデータを該第３サーバへ送信するステップと、を含む構成である。
この構成によれば、測定端末で測定したバイタルデータを測定端末から所定の入力操作を実施するのみで制御ソフトウェアを動作させて第３サーバへ送信することができる。また、この制御ソフトウェアを第３サーバから測定端末へ予めダウンロードしておくこともできる。また、この所定の入力操作とは、送信ボタンの押下のみでよいためユーザの操作性が向上する。
【０００８】
また、請求項３に記載のバイタルデータ送信方法は、第１サーバと、記憶媒体を装着可能な携帯端末とが各々通信回線を介して接続し、入力部を有する測定端末で測定したバイタルデータを該携帯端末によって該第１サーバへ送信するためのバイタルデータ送信方法である。そして、該測定端末で測定したバイタルデータを記憶するステップと、該記憶媒体が該携帯端末に装着されると、該記憶媒体に記憶の制御ソフトウェアを読み込むとともに、読み込んだ制御ソフトウェアを該測定端末へ記憶するステップと、該測定端末の入力部で所定の入力操作を受け付けると、該制御ソフトウェアの実行処理によって該携帯端末と該第１サーバとの間で通信路を確立させて、該測定端末に記憶してあるバイタルデータを該第１サーバへ送信するステップと、を含む構成である。
この構成によれば、測定端末で測定したバイタルデータを測定端末から所定の入力操作を実施するのみで制御ソフトウェアを動作させて第１サーバへ送信することができる。また、この制御ソフトウェアを記憶媒体から測定端末へダウンロードしておくこともできる。また、この所定の入力操作とは、送信ボタンの押下のみでよいためユーザの操作性が向上する。
【発明を実施するための最良の形態】
【０００９】
以下に本発明を実施するための最良の形態について図面を用いて説明する。
（実施例１）
まず、図１〜３によって本発明の実施例１を説明する。
この実施例１を説明するにあたって、特許請求の範囲に記載の「入力部」とは、実施例１に記載の「送信ボタン２１」に相当する。また、特許請求の範囲に記載の「所定の入力操作」とは、実施例１に記載の「送信ボタン２１を押下する」に相当する。図１は、本発明の実施例１を示す全体構成図である。図２は、携帯端末１０および測定端末２０の機器構成を示す図である。図３は、第１サーバ５０に記憶してある体温値の例について説明する図である。
【００１０】
まず、図１を参照して全体構成について説明する。
第１サーバ５０と、第２サーバ６０と、携帯端末１０とは各々通信回線４０を介して接続もしくは接続可能な状態である。なお、ここで言う接続には、通信路の確立まで含まれておらず単なる接続である。また、携帯端末１０は移動可能な端末であるため、中継局３０を介して通信回線４０と接続もしくは接続可能な状態となっている。この通信回線４０とは、例えば電話回線網、インタネット網などである。また携帯端末１０と通信ケーブル４２を介して接続可能な測定端末２０が設けてある。
【００１１】
次に、図２を参照して各機器を個別に説明する。
携帯端末１０は、例えば汎用の携帯電話、ＰＨＳ、ＰＤＡなどであり、インタネットへの接続機能を有する移動可能な端末である。以下、携帯端末１０には携帯電話１０を使用する例を説明する。図２（Ａ）に示すように、携帯電話１０の本体表面には、入力キー１５と、表示部１６とを備えている。また本体下部には、接続端子１４を備えている。この接続端子１４によって、通信ケーブル４２を介して測定端末２０と接続可能となっている。また本体内部には、ＣＰＵ（制御部）１２と、記憶部（ＲＡＭ、ＲＯＭなど）１３を備えている。また、これらの各部位は、図２（Ｂ）に示すようにＣＰＵ１２に対して記憶部１３と、接続端子１４と、入力キー１５と、表示部１６とが各々電気的に接続してある。そして記憶部１３に記憶のプログラムによって、ＣＰＵ１２は所望する送受信相手と通信回線４０を介して各種信号および情報を送受信したり、接続端子１４から各種信号および情報を送受信したり、入力キー１５を判別したり、表示部１６に各種情報を表示させたり、種々の機能を実行している。
【００１２】
測定端末２０は、例えば体温計、血圧計、血糖値計、心電計などの少なくとも１つのバイタルデータを測定可能な機器である。また、万歩計（登録商標）などでもよい。以下、測定端末２０には体温計１０を使用する例を説明する。図２（Ｃ）に示すように、体温計２０の本体表面には、送信ボタン２１と、表示部２６とを備えている。また本体上部には、体温を測定可能な測定部２５を備え、本体下部には、接続端子２４を備えている。この接続端子２４によって、通信ケーブル４２を介して携帯電話１０と接続可能となっている。また本体内部には、ＣＰＵ（制御部）２２と、記憶部（ＲＡＭ、ＲＯＭなど）２３を備えている。また、これらの各部位は、図２（Ｄ）に示すようにＣＰＵ２２に対して送信ボタン２１と、記憶部２３と、接続端子２４と、測定部２５と、表示部２６とが各々電気的に接続してある。そして記憶部２３に記憶のプログラムによって、ＣＰＵ２２は測定した体温値を記憶部２３に記憶したり、接続端子２４から各種信号および情報を送受信したり、送信ボタン２１を判別したり、表示部２６に各種情報を表示させたり、種々の機能を実行している。
【００１３】
第１サーバ５０は、汎用のパーソナルコンピュータ（以下、「ＰＣ」と記す）である。この第１サーバ５０の記憶部（図示しない）にはデータベースが構築してあり、このデータベースによって通信回線４０を介して送られてきた体温値がユーザごとに管理されている。
【００１４】
第２サーバ６０は、第１サーバと同様の汎用のＰＣである。この第２サーバ６０の記憶部（図示しない）には、様々な機種の携帯電話１０に対応した制御ソフトウェアが記憶してある。例えば、機種「Ａ」の携帯電話１０に対応する制御ソフトウェア「ａ」が記憶してあり、機種「Ｂ」の携帯電話１０に対応する制御ソフトウェア「ｂ」が記憶してあり、・・・という具合に、市販されている全ての携帯電話１０の機種に対応する制御ソフトウェアが記憶してある。
【００１５】
続いて、ユーザが体温計２０で測定した体温値を第１サーバ５０へ送信して記憶させる方法について説明する。なお、説明の前提として、ユーザは機種「Ａ」の携帯電話を使用している。また、ユーザは体温を毎朝測定し、その都度、送信することもできるが、例として月末に１ヶ月分をまとめて第１サーバ５０へ送信している。また、測定時期はある年の１月とする。
まず、ユーザは１月１日〜１月３１日までの毎朝、自身の体温値を測定する。測定された体温値は、その都度、測定日時に対応付けられ記憶部２３に記憶される。ユーザは事前に、体温計２０と携帯電話１０を通信ケーブル４２でつなぎ、第１サーバ５０へ接続し登録画面を呼び出し、自身の携帯電話１０の入力キー１５を操作して、第１サーバ５０のデータベースに自身をユーザ登録する。このユーザ登録時に、第１サーバ５０はユーザに対してユーザ自身の携帯電話１０の識別情報（例えば、メールアドレス、電話番号など）と体温計２０の機体番号を登録させておく。そして、携帯電話１０は第１サーバ５０と通信路を確立する度に、登録した識別情報を送信する構成とする。すると、第１サーバ５０は各ユーザを識別可能となる。また第１サーバ５０は登録した各ユーザに対してそれぞれユーザ番号を付与するため、第１サーバ５０はユーザ番号を識別することによって各ユーザを識別することもできる。
【００１６】
ユーザ登録が完了すると、ユーザは通信ケーブル４２によって携帯電話１０と体温計２０とを接続させる。続いて、ユーザは自身の携帯電話１０の入力キー１５を操作して、第２サーバ６０から自身の携帯電話１０の機種に対応した制御ソフトウェアをダウンロードする（この場合、ユーザの携帯電話１０の機種は「Ａ」であるため、その機種に対応する「ａ」をダウンロードする）。この制御ソフトウェアとは、ユーザが所定の操作を実施すると、体温計２０の記憶部２３に記憶してある体温値が携帯電話１０と通信回線４０を介して第１サーバ５０へ送信される機能を有するソフトウェアである。なお、ユーザが実施する所定の入力操作とは、通信ケーブル４２を介して体温計２０と携帯電話１０とを接続させた状態で、体温計２０の送信ボタン２１を押下する操作である。そしてダウンロードされた制御ソフトウェアは、通信ケーブル４２を介して体温計２０に送られて体温計２０の記憶部２３に記憶される。
【００１７】
続いて、ユーザは体温計２０の送信ボタン２１を押下する。すると記憶部２３に記憶の制御ソフトウェアによって以下に記す（１）〜（７）の処理が開始される。
（１）体温計２０のＣＰＵ２２は、記憶部２３に記憶してある制御ソフトウェアの中から第１サーバ５０の宛先情報（例えば、ＵＲＬ）を読み出して携帯電話１０へ送信する。
（２）携帯電話１０のＣＰＵ１２は、送られた宛先情報に基づいて第１サーバ５０と通信路を確立させる。通信路が確立すると、携帯電話１０のＣＰＵ１２は、ユーザ登録した自身の識別情報を第１サーバ５０へ送信する。例えば、メールアドレスを使用してユーザ登録をしていれば、メールアドレスと体温計２０の機体番号を送信する。また、電話番号を使用してユーザ登録をしていれば、電話番号と体温計２０の機体番号を送信する。
（３）第１サーバ５０は、送られた識別情報に基づいて、ユーザ登録済みであるか否かを判断する。
（４）第１サーバ５０は、登録済みであると判断すれば、携帯電話１０へ体温値の送信を要求する。一方、第１サーバ５０は、登録済みでないと判断すれば、携帯電話１０へユーザ登録の旨を案内する。
（５）携帯電話１０のＣＰＵ１２は、送られた要求に基づいて、体温計２０へ記憶してある体温値の送信を要求する。
（６）体温計２０のＣＰＵ２２は、送られた要求に基づいて、記憶部２３に記憶の体温値を読み出して携帯電話１０へ送信する。
（７）携帯電話１０のＣＰＵ１２は、送られた体温値を第１サーバ５０へ送信する。
このようにして（１）〜（７）までの処理は、ユーザによって体温計２０の送信ボタン２１を押下することのみで実施される。
【００１８】
そして、第１サーバ５０は、送られた体温値を自身のデータベースに記憶し管理する。図３に、このデータベースの一例を示す。図３に示すように、ユーザ番号に対応付けられて測定日時とその時の体温値が記録される。なお、後日ユーザは各種携帯電話１０もしくはＰＣなどから第１サーバ５０と通信路を確立させ、自身のユーザ番号に基づいてデータベースに記憶してある体温値を読み出すことが可能である。もちろん、ユーザだけでなく、ユーザの担当医師などもＰＣ等から同様に読み出すことも可能であることは言うまでもない。
【００１９】
続いて、ユーザが自身の携帯電話１０の機種を「Ａ」から「Ｂ」に変更した場合について説明する。携帯電話１０の機種を「Ｂ」に変更すると、そのままでは体温計２０に記憶されている制御ソフトウェアは「ａ」であるために、制御ソフトウェアが携帯電話１０と不一致であるためユーザは体温値を送信することはできない。この対処方法として、体温計２０に記憶の制御ソフトウェアを「ａ」から「ｂ」に変更すればよい。ユーザは制御ソフトウェア「ａ」のダウンロードと同様にして制御ソフトウェア「ｂ」をダウンロードする。そして体温計２０に新たな制御ソフトウェア「ｂ」を記憶させる。このようにして、ユーザは自身の携帯電話１０の機種を変更した場合でも、変更した機種に対応する携帯電話１０の制御ソフトウェアを新たにダウンロードするのみで、引き続いて体温値を第１サーバ５０へ送信できる。したがって、ユーザは携帯電話１０の機種を変更した場合でも、体温計２０の機種を変更しなくてよい。
【００２０】
（実施例２）
次に、図４によって本発明の実施例２を説明する。
図４は、本発明の実施例２を示す全体構成図である。また、実施例１と同一もしくは均等な構成の部材には、図面において同一符号を付すことで、重複する説明は省略する。このことは、実施例３でも同様とする。この実施例２は、既に説明した実施例１と比較して、データベースを記憶するサーバ（第１サーバ５０）と制御ソフトウェアを記憶するサーバ（第２サーバ６０）を同一サーバで実施しているものである。そして、この同一サーバを第３サーバ７０としている。このようにサーバ構成の相違だけであるため、実施例２においても実施例１と同様に制御ソフトウェアを第３サーバ７０からダウンロードさせることができる。また実施例１と同様に体温計２０で測定した体温値を第３サーバ７０へ送信して記憶させることもできる。なお詳細も実施例１と同様であるため説明は省略する。
【００２１】
（実施例３）
次に、図５によって本発明の実施例３を説明する。
図５は、本発明の実施例３を示す全体構成図である。この実施例３は、既に説明した実施例１と比較して、制御ソフトウェアをサーバ（第２サーバ６０）からではなく記憶媒体１８から読み込んでくるものである。そのため、この実施例３の携帯電話１０には記憶媒体認識部１７が設けてある。そして、記憶媒体認識部１７に記憶媒体（例えば、メモリカード）１８が装着されると、携帯電話１０のＣＰＵ１２は記憶媒体１８に記憶してある制御ソフトウェアを読み出し、読み出したソフトウェアを体温計２０の記憶部２３に記憶させる。もちろん、実施例１と同様に予め携帯電話１０と体温計２０を通信ケーブル４２によって接続させておく必要がある。このように制御ソフトウェアを体温計２０に記憶させた後に、ユーザは実施例１と同様に第１サーバ５０のデータベースに自身をユーザ登録する。そしてユーザは実施例１と同様に、体温計２０の送信ボタン２１を押下するのみで測定した体温値を第１サーバ５０へ送信できる。
【００２２】
また、ユーザが自身の携帯電話１０の機種を「Ａ」から「Ｂ」に変更した場合について説明する。携帯電話１０の機種を「Ｂ」に変更すると、そのままでは体温計２０に記憶されている制御ソフトウェアは「ａ」であるために、制御ソフトウェアが携帯電話１０と不一致であるためユーザは体温値を送信することはできない。この対処方法として、体温計２０に記憶の制御ソフトウェアを「ａ」から「ｂ」に変更すればよい。ユーザは制御ソフトウェア「ａ」を記憶させた方法と同様にして制御ソフトウェア「ｂ」を記憶させる。この場合、制御ソフトウェア「ｂ」が記憶された新たな記憶媒体１８が必要である。そして体温計２０に新たな制御ソフトウェア「ｂ」を記憶させる。このようにして、実施例１と同様にユーザは自身の携帯電話１０の機種を変更した場合でも対応可能となる。
【００２３】
上述した内容は、あくまでも本発明の一実施の形態に関するものであって、本発明が上記内容に限定されることを意味するものではない。
実施例では、携帯電話１０と体温計２０を通信ケーブル４２で接続した例を説明した。しかし、これに限定されるものでなく、携帯電話１０と体温計２０を赤外線通信等の無線により送受信させても構わない。
【図面の簡単な説明】
【００２４】
【図１】図１は、本発明の実施例１を示す全体構成図である。
【図２】図２は、携帯端末１０および測定端末２０の機器構成を示す図である。
【図３】図３は、第１サーバ５０に記憶してある体温値の例について説明する図である。
【図４】図４は、本発明の実施例２を示す全体構成図である。
【図５】図５は、本発明の実施例３を示す全体構成図である。
【符号の説明】
【００２５】
１０  携帯端末（携帯電話）
１８  記憶媒体
２０  測定端末（体温計）
２１  入力部（送信ボタン）
４０  通信回線
５０  第１サーバ
６０  第２サーバ
７０  第３サーバ
【図１】
2006068357.tif 000003
【図２】
2006068357.tif 000004
【図３】
2006068357.tif 000005
【図４】
2006068357.tif 000006
【図５】
2006068357.tif 000007